(57)【特許請求の範囲】
【請求項１】
電気開閉装置（２）のためのトリップラッチアセンブリ（１００）であって、前記電気開閉装置（２）は、ハウジング（４）、前記ハウジング（４）によって囲まれる分離可能な接点（６）、および前記分離可能な接点（６）を開閉するための操作機構（８）を含み、前記操作機構（８）は、電極シャフト（１０）を含み、前記トリップラッチアセンブリ（１００）は、
前記ハウジング（４）にピボット回転可能に連結され、ラッチ位置とアンラッチ位置との間を移動可能に構成されたトリップラッチ（１０２）と、
前記トリップラッチ（１０２）を前記ラッチ位置へ向けて付勢するように構成されたトリップラッチリセットスプリング（１０４）と、
前記トリップラッチリセットスプリング（１０４）を少なくとも部分的に被うスプリングハウジング（１０６）と、前記電極シャフト（１０）に移動可能に連結されるように構成された第１端（１１０）および前記スプリングハウジング（１０６）と協働するように構成された第２端（１１２）を含むトリップラッチスプリングリンク（１０８）と、を備え、
前記電気開閉装置（２）をリセットする必要があるとき、前記トリップラッチリセットスプリング（１０４）にトルクを作用させるため、前記トリップラッチスプリングリンク（１０８）が前記スプリングハウジング（１０６）に係合されるように構成され、
前記電気開閉装置（２）が閉じているとき、前記トリップラッチ（１０２）に対する前記トリップラッチリセットスプリング（１０４）の付勢力が取り除かれ、
前記スプリングハウジング（１０６）は、第１部分（１１４）、前記第１部分（１１４）と反対側の末端に配置される第２部分（１１６）、および前記第１部分（１１４）と前記第２部分（１１６）との間を延びるボディ部（１１８）を含み、前記第１部分（１１４）が前記トリップラッチリセットスプリング（１０４）と協働し、前記第２部分（１１６）が前記トリップラッチスプリングリンク（１０８）と協働することを特徴とするトリップラッチアセンブリ（１００）。
【請求項２】
前記電気開閉装置（２）の前記ハウジング（４）は、シャフト（１２）を含み、前記スプリングハウジング（１０６）の前記ボディ部（１１８）は、細長いスリーブメンバ（１１８）を構成し、前記細長いスリーブメンバ（１１８）は、前記シャフト（１２）上に配置されるように構成されることを特徴とする請求項１に記載されたトリップラッチアセンブリ（１００）。
【請求項３】
前記スプリングハウジング（１６０）の前記第１部分（１１４）は、フランジ（１２０）および複数個の突出部（１２２,１２４）を含み、前記フランジ（１２０）は、前記スプリングハウジング（１０６）の前記ボディ部（１１８）から半径方向外側へ延び、前記突出部（１２２,１２４）は、前記フランジ（１２０）から前記トリップラッチ（１０２）へ向けて外側へ延びることを特徴とする請求項２に記載されたトリップラッチアセンブリ（１００）。
【請求項４】
前記複数個の突出部は、第１突出部（１２２）および第２突出部（１２４）であって、前記第１突出部（１２２）は、前記トリップラッチ（１０２）および前記トリップラッチリセットスプリング（１０４）と協働し、前記第２突出部（１２４）は、前記トリップラッチリセットスプリング（１０４）を少なくとも部分的に被うとともに保持することを特徴とする請求項３に記載されたトリップラッチアセンブリ（１００）。
【請求項５】
前記トリップラッチリセットスプリングは、トーションスプリング（１０４）であって、前記トーションスプリング（１０４）は、第１端（１３０）、第２端（１３２）、および複数個のコイル（１３４）を含み、前記トーションスプリング（１０４）の前記第１端（１３０）は、前記トリップラッチ（１０２）に係合され、前記トーションスプリング（１０４）の前記第２端（１３２）は、前記第２突出部（１２４）に係合され、前記第１突出部（１２２）および前記第２突出部（１２４）は、前記コイル（１３４）を少なくとも部分的に被うことを特徴とする請求項４に記載されたトリップラッチアセンブリ（１００）。
【請求項６】
前記トーションスプリング（１０４）は、前記スプリングハウジング（１０６）の前記フランジ（１２０）と前記トリップラッチ（１０２）との間で前記シャフト（１２）上に配置されるように構成されることを特徴とする請求項５に記載されたトリップラッチアセンブリ（１００）。
【請求項７】
前記スプリングハウジング（１０６）の前記第２部分（１１６）は、前記ボディ部（１１８）から外側へ延びるパドル（１４０）を含み、前記トリップラッチスプリングリンク（１０８）の前記第２端（１１２）は、前記電極シャフト（１０）の運動を前記スプリングハウジング（１０６）の運動に変換するために前記パドル（１４０）と協働するように構成されることを特徴とする請求項１に記載されたトリップラッチアセンブリ（１００）。
【請求項８】
前記トリップラッチスプリングリンク（１０８）の前記第２端（１１２）は、凹部（１５０）およびエッジ（１５２）を含み、前記パドル（１４０）は、前記凹部（１５０）内に延びるとともに前記エッジ（１５２）と協働することを特徴とする請求項７に記載されたトリップラッチアセンブリ（１００）。
【請求項９】
前記トリップラッチスプリングリンク（１０８）の前記第１端（１１０）は、細長いスロット（１６０）を含み、前記電極シャフト（１０）は、ピンメンバ（１４）を含み、前記ピンメンバ（１４）は、前記ラッチ位置に向けて前記トリップラッチ（１０２）を付勢するために前記トリップラッチリセットスプリング（１０４）にトルクを作用させ、前記電気開閉装置（２）をリセットすることが望ましいときだけ、前記電極シャフト（１０）の運動を前記スプリングハウジング（１０６）の運動に変換するため、前記細長いスロット（１６０）内へ移動するように構成されることを特徴とする請求項８に記載されたトリップラッチアセンブリ（１００）。
【請求項１０】
ハウジング（４）、前記ハウジング（４）によって囲まれた分離可能な接点（６）、電極シャフト（１０）を含み、前記分離可能な接点（６）を開閉するための操作機構（８）、およびトリップラッチアセンブリ（１００）を含む電気開閉装置（２）であって、
前記トリップラッチアセンブリ（１００）は、
前記ハウジング（４）にピボット回転可能に連結され、ラッチ位置とアンラッチ位置との間を移動可能なトリップラッチ（１０２）と、
前記トリップラッチ（１０２）を前記ラッチ位置へ向けて付勢するためのトリップラッチリセットスプリング（１０４）と、
前記トリップラッチリセットスプリング（１０４）を少なくとも部分的に被うスプリングハウジング（１０６）と、
前記電極シャフト（１０）に移動可能に連結される第１端（１１０）および前記スプリングハウジング（１０６）と協働する第２端（１１２）を含むトリップラッチスプリングリンク（１０８）と、を含み、
前記電気開閉装置（２）をリセットする必要があるとき、トリップラッチリセットスプリング（１０４）にトルクを作用させるため、前記トリップラッチスプリングリンク（１０８）は、前記スプリングハウジング（１０６）に係合され、
前記電気開閉装置（２）が閉じているとき、前記トリップラッチ（１０２）に対する前記トリップラッチリセットスプリング（１０４）の付勢力が取り除かれ、
前記トリップラッチアセンブリ（１００）の前記スプリングハウジング（１０６）は、第１部分（１１４）、前記第１部分（１１４）に対して反対側の末端に配置される第２部分（１１６）、および前記第１部分（１１４）と前記第２部分（１１６）との間を延びるボディ部（１１８）を含み、前記第１部分（１１４）は、前記トリップラッチリセットスプリング（１０４）と協働し、前記第２部分（１１６）は、前記トリップラッチスプリングリンク（１０８）と協働することを特徴とする電気開閉装置（２）。
【請求項１１】
前記電気開閉装置（２）の前記ハウジング（４）は、シャフト（１２）を含み、前記スプリングハウジング（１０６）の前記ボディ部（１１８）は、細長いスリーブメンバ（１１８）を構成し、前記細長いスリーブメンバ（１１８）は、前記シャフト（１２）上に配置されることを特徴とする請求項１０に記載された電気開閉装置（２）。
【請求項１２】
前記スプリングハウジング（１０６）の前記第１部分（１１４）は、フランジ（１２０）および複数個の突出部（１２２,１２４）を含み、前記スプリングフランジ（１２０）は、前記スプリングハウジング（１０６）の前記ボディ部（１１８）から半径方向外側へ延び、前記突出部（１２２,１２４）は、前記フランジ（１２０）から前記トリップラッチ（１０２）へ向けて外側へ延びることを特徴とする請求項１１に記載された電気開閉装置（２）。
【請求項１３】
前記複数個の突出部は、第１突出部（１２２）および第２突出部（１２４）であって、前記第１突出（１２２）は、前記トリップラッチ（１０２）および前記トリップラッチリセットスプリング（１０４）と協働し、前記第２突出部（１２４）は、前記トリップラッチリセットスプリング（１０４）を少なくとも部分的に被うとともに保持することを特徴とする請求項１２に記載された電気開閉装置（２）。
【請求項１４】
前記トリップラッチリセットスプリングは、トーションスプリング（１０４）であって、前記トーションスプリング（１０４）は、第１端（１３０）、第２端（１３２）、および複数個のコイル（１３４）を含み、前記トーションスプリング（１０４）の前記第１端（１３０）は、前記トリップラッチ（１０２）に係合され、前記トーションスプリング（１０４）の前記第２端（１３２）は、前記第２突出部（１２４）に係合され、前記第１突出（１２２）および前記第２突出部（１２４）は、前記コイル（１３４）を少なくとも部分的に被うことを特徴とする請求項１３に記載された電気開閉装置（２）。
【請求項１５】
前記トーションスプリング（１０４）は、前記スプリングハウジング（１０６）の前記フランジ（１２０）と前記トリップラッチ（１２）との間で前記シャフト（１２）上に配置されることを特徴とする請求項１４に記載された電気開閉装置（２）。
【請求項１６】
前記スプリングハウジング（１０６）の前記第２部分（１１６）は、前記ボディ部（１１８）から外側へ延びるパドル（１４０）を含み、前記トリップラッチスプリングリンク（１０８）の前記第２端（１１２）は、前記電極シャフト（１０）の運動を前記スプリングハウジング（１０６）の運動に変換するために前記パドル（１４０）と協働することを特徴とする請求項１０に記載された電気開閉装置（２）。
【請求項１７】
前記トリップラッチスプリングリンク（１０８）の前記第２端（１１２）は、凹部（１５０）およびエッジ（１５２）を含み、前記パドル（１４０）は、前記凹部（１５０）内へ延びるとともに前記エッジ（１５２）と協働することを特徴とする請求項１６に記載された電気開閉装置（２）。
【請求項１８】
前記トリップラッチスプリングリンク（１０８）の前記第１端（１１０）は、細長いスロット（１６０）を含み、前記電極シャフト（１０）は、ピンメンバ（１４）を含み、前記ピンメンバ（１４）は、前記ラッチ位置に向けて前記トリップラッチ（１０２）を付勢するために前記トリップラッチリセットスプリング（１０４）にトルクを作用させ、前記電気開閉装置（２）をリセットすることが望ましいときだけ、前記電極シャフト（１０）の運動を前記スプリングハウジング（１０６）の運動に変換するため、前記細長いスロット（１６０）内を移動可能であることを特徴とする請求項１７に記載された電気開閉装置（２）。
【発明の詳細な説明】
【技術分野】
【０００１】
本発明は、概して、電気開閉装置に関し、特に、回路遮断器などの電気開閉装置に関する。また、本発明は、電気開閉装置のためのトリップラッチアセンブリに関する。
【背景技術】
【０００２】
回路遮断器などの電気開閉装置は、例えば、過電流、ショート、異常電圧および他の失陥状態などの電気系失陥状態から電気系統を保護する。
一般に、回路遮断器は、例えば、トリップユニットによって検出された失陥状態に応答し、電気系統の導体を介した電流の流れを遮断するために電気接点アセンブリを開く操作機構を含む。電気接点アセンブリは、固定電気接点と該固定電気接点から分離可能な対応する可動電気接点とを含む。
【０００３】
他の構成部品の中で、いくつかの低電圧および中電圧回路遮断器の操作機構は、例えば、典型的に、電極シャフト、トリップアクチュエータアセンブリ、閉アセンブリおよび開アセンブリを含む。トリップアクチュエータアセンブリは、トリップユニットに応答し、操作機構を作動させる。閉アセンブリおよび開アセンブリは、可動電気接点と固定電気接点とが分離された、第１の、開位置と、可動電気接点と固定電気接点とが電気的に接続された、第２の、閉位置と、の間で可動電気接点を移動させるように構成されたいくつかの共通要素を有するように構成することができる。特に、可動電気接点は、電極シャフトに連結される。電極シャフトにはまた閉アセンブリおよび開アセンブリがピボット回転可能に連結され、両要素は、電気接点の開閉を行うために電極シャフトをピボット上に配置する。
【０００４】
例えば、典型的に回路遮断器が開いているとき、トリップラッチスプリングは、回路遮断器をリセットするとともに回路遮断器を閉じる準備をするためのトルクをトリップラッチに作用させる。しかしながら、もし、例えば、スプリング力が比較的弱く、回路遮断器が閉じないとき、回路遮断器は、閉じようとするが、トリップラッチがリセットされないことでそうすることができない。これは、回路遮断器の部品を損傷することになる。さらに、スプリングの望ましくないバランスを防止するためにリセット可能な最小限のスプリング力が得られるできるだけ少ない数量のスプリングを使用するという要求によって問題は悪化し、あるスプリング（限定しないが、例えば、開スプリング）は回路遮断器を開こうとし、あるスプリング（限定しないが、例えば、閉スプリング）は回路遮断器を閉じようとする。したがって、回路遮断器、およびそのためのトリップラッチアセンブリなどの電気開閉装置においては、改良の余地がある。
【発明の概要】
【０００５】
これらのニーズおよび他は、限定しないが、例えば、回路遮断器などの電気開閉装置用トリップラッチアセンブリを対象とする開示された概念の実施形態によって達成される。他の利益として、トリップラッチアセンブリは、回路遮断器が閉じられているとき、スプリングトルクを十分に取り除くよう機能する。
【０００６】
開示された概念の１つの解釈として、トリップラッチアセンブリは、電気開閉装置用に構成される。電気開閉装置は、ハウジング、ハウジングによって囲まれた分離可能な接点、および分離可能な接点を開閉するための操作機構を含む。操作機構は、電極シャフトを含む。トリップラッチアセンブリは、ハウジングに対してピボット回転可能に連結され、ラッチ位置とアンラッチ位置との間で移動可能なトリップラッチと、トリップラッチをラッチ位置に向けて付勢するトリップラッチリセットスプリングと、トリップラッチリセットスプリングを少なくとも部分的に被うスプリングハウジングと、電極シャフトに対して移動可能に連結される第１端およびスプリングハウジングと協働する第２端を備えるトリップラッチスプリングリンクと、を含む。電気開閉装置をリセットする必要があるとき、トリップラッチスプリングリンクは、トリップラッチリセットスプリングへトルクを作用させるためにスプリングハウジングに係合する。電気開閉装置が閉じているとき、トリップラッチに対するトリップラッチリセットスプリングの付勢力は取り除かれている。
【０００７】
スプリングハウジングは、第１部分、第１部分とは反対側の末端に配置される第２部分、および第１部分と第２部分との間を延びるボディ部を含む。第１部分は、トリップラッチリセットスプリングと協働し、第２部分は、トリップラッチスプリングリンクと協働する。スプリングハウジングの第１部分は、フランジおよび複数個の突出部を含み、フランジは、スプリングハウジングのボディ部から半径方向外側へ延び、突出部は、トリップラッチに向けてフランジから外側へ延びる。突出部は、第１突出部および第２突出部である。第１突出部は、トリップラッチおよびトリップラッチリセットスプリングと協働し、第２突出部は、トリップラッチリセットスプリングを少なくとも部分的に被うとともに保持する。
【０００８】
トリップラッチリセットスプリングは、トーションスプリングとすることができる。トーションスプリングは、第１端、第２端、および複数個のコイルを含む。トーションスプリングの第１端は、トリップラッチに係合される。トーションスプリングの第２端は、第２突出部に係合される。第１突出部および第２突出部は、コイルを少なくとも部分的に被う。トーションスプリングは、スプリングハウジングのフランジとトリップラッチとの間でシャフト上に配置される。
【０００９】
スプリングハウジングの第２部分は、ボディ部から外側へ延びるパドルを含む。トリップラッチスプリングリンクの第２端は、電極シャフトの運動をスプリングハウジングの運動に変換するためにパドルと協働する。トリップラッチスプリングリンクの第２端は、凹部およびエッジを含み、パドルは、凹部内へ延びてエッジと協働する。トリップラッチスプリングリンクの第１端は、細長いスロットを含み、電極シャフトは、ピンメンバを含む。ピンメンバは、ラッチ位置に向けてトリップラッチを付勢するためにトリップラッチリセットスプリングにトルクを作用させ、電気開閉装置をリセットすることが望ましいときだけ、電極シャフトの運動をスプリングハウジングの運動に変換するため、細長いスロット内へ移動する。
【００１０】
他方の開示された概念の解釈によれば、前述のトリップラッチアセンブリを用いる電気開閉装置が構成される。
【図面の簡単な説明】
【００１１】
添付された図面に関連させることで、望ましい実施形態の以下の記述から開示された概念を十分に理解することが可能である。
【図１】開示された概念の一実施形態を示す回路遮断器の一部およびそのためのトリップラッチアセンブリの正面図であって、回路遮断器がトリップ動作およびトリップ解除された状態を示す。
【図２】閉じられた回路遮断器を示す図１の正面図である。
【図３】図２のトリップラッチアセンブリの前面分解斜視図である。
【図４】図３のトリップラッチアセンブリの前面組立斜視図である。
【図５】図４のトリップラッチアセンブリの後面分解斜視図である。
【図６】図５のトリップラッチアセンブリの後面組立斜視図である。
【発明を実施するための形態】
【００１２】
例えば、左、右、時計回り方向、反時計回り方向およびそれらの派生語は、図面に示される要素の方向に関連するもので、明白に記載されていない限り、請求の範囲を限定するものではない。
【００１３】
ここで使用される、２つ以上の部品が共に「連結される」の記述は、部品が直接または１つ以上の中間部品を介して接続されることを指す。
【００１４】
ここで使用される、用語「数」は、１または１より大きい整数（複数）を意味するものとする。
【００１５】
図１は、限定しないが、例えば、本発明における回路遮断器2（図１および図２に部分的に示される）などの電気開閉装置のためのトリップラッチアセンブリ100を示す。回路遮断器2は、ハウジング4（図１および図２に部分的に示される）、分離可能な接点6（図１に単純化された形で示される）および、操作機構8（図１に単純化された形で示される）を含む。操作機構8は、電極シャフト10を含む。トリップラッチアセンブリ100は、トリップラッチ102（図３ないし６に最もよく示される）を含み、トリップラッチ12は、回路遮断器ハウジング4にピボット回転可能に連結されるとともに、ラッチ位置（例えば、図２参照）とアンラッチ位置（例えば、図１参照）との間を移動可能である。トリップラッチアセンブリ100は、トリップラッチリセットスプリング104（図１および図２に隠れ線で示されて、図３および図５の分解斜視図に最もよく示される）をさらに含む。トリップラッチリセットスプリング104は、トリップラッチ102をラッチ位置に向けて付勢する。図１、図２、図４および図６に示されるように、スプリングハウジング106は、トリップラッチリセットスプリング104を少なくとも部分的に被う。
【００１６】
図１および図２に示されるように、トリップラッチスプリングリンク108は、両端を構成する第１端110および第２端112を含む。第１端110は、回路遮断器電極シャフト10に移動可能に連結され、第２端112は、スプリングハウジング106に協働するように構成される。より詳細には、限定しないが、例えば、図１に示されるように、回路遮断器2がトリップ動作およびトリップ解除された後などで、回路遮断器2をリセットする必要があるとき、トリップラッチ102を図２に示されるラッチ位置に向けて付勢するためのトルクをトリップラッチリセットスプリング104に作用させるため、トリップラッチスプリングリンク108は、スプリングハウジング106に係合される。このように、回路遮断器2をリセットする必要があるとき、トリップラッチリセットスプリング104がトリップラッチ102を付勢するだけであることが、開示された概念と一致することが理解されるであろう。
【００１７】
換言すると、回路遮断器2が閉じられているとき、トリップラッチ102からトルクが取り除かれる。他の利益として、これは、トリップラッチリセットスプリング104のスプリング力が除去されることによるすべての変動をもたらす。アセンブリはまた、トリップラッチ102からスプリング力を取り除くときの適当な動作時間を確保するために調整可能であり、正確な許容値を維持する条件が緩和される。
【００１８】
これにより、従来技術が抱える問題、すなわち、いくつかのスプリングが回路遮断器2を開こうとし、他のスプリングが回路遮断器2をリセットしようとするスプリングのバランスの問題が解消する。このように、リセットスプリング104の力許容差は、回路遮断器2のトリップ動作を保持するのに有利に貢献しない。このように、トグルリンケージのモーメントアームおよびトリップシステムだけが、トリップＤシャフトに適用される力の許容値変動に貢献する。それによって、回路遮断器2をトリップ動作させるために必要な付属部品の力を減少させることもできる。加えて、トリップラッチリセットスプリング104は、回路遮断器2をリセットする必要があるときだけ使用されるので、スプリング104は、回路遮断器2をリセットすることに関連する信頼性のマージンを十分に大きくとることができる。そのうえ、ここでさらに明らかにされるように、要望通り、予備荷重を作用させることができるように、スプリング104はまた、少なくとも部分的にスプリングハウジング16内に収容される。
【００１９】
図３ないし図６に最もよく示されるように、限定しないが例えば、この中で図解されるトリップラッチアセンブリ10のスプリングハウジング106は、第１部分114、第１部分114とは反対側の末端に配置される第２部分116、および第１部分114と第２部分116との間を延びるボディ部118を含む。第１部分114は、トリップラッチリセットスプリング104と協働し、第２部分116は、トリップラッチスプリングリンク108（図１、図２参照）と協働する。スプリングハウジング106のボディ部118は、トリップラッチ102が連結され、ピボット回転可能なシャフト12上に配置される細長いスリーブメンバを望ましくは含む。例示したスプリングハウジング16の第１部分114は、ボディ部118から半径方向外側へ延びるフランジ122を含む。複数個の突出部122,124（２個が示される）は、トリップラッチ102に向かってフランジ120から外側へ延びる。
【００２０】
図５に最もよく示されるように、例示したスプリングハウジング106は、第１突出部122および第２突出部124を有する。第１突出部122は、前述のフランジ120から外側へ延び、トリップラッチ102およびトリップラッチリセットスプリング104（図６に最もよく示される）と協働する。第２突出部124は、トリップラッチリセットスプリング104を少なくとも部分的に被うとともに保持する。より詳細には、図５に示されるように、第２突出部124は、望ましくは、スプリング104の形状に沿うアーチ形状部を含む。このように、トリップラッチリセットスプリング104は、望ましくは、スプリングハウジング106のフランジ120とトリップラッチ102との間で、シャフト12に配置されることが理解されるであろう。
【００２１】
ここで示されるととともに説明される例示において、図３ないし図５に最もよく示されるように、トリップラッチリセットスプリングは、トーションスプリング104であって、トーションスプリング104は、第１端130、第２端132、および複数個のコイル134を含む。トーションスプリング104は、図６に示されるように、第１端130がトリップラッチ102に係合され、第２端132が第２突出部124に係合される。図４ないし図６に示されるように、第１突出部122と第２突出部124とは、望ましくは、スプリングコイル134を少なくとも部分的に被う。かくして、前述したように、スプリングハウジング106は、トリップラッチ102に付与したスプリング付勢力を制御（例えば、限定しないが、係合および解放）するように機能し、その時、スプリングハウジング106は、トリップラッチスプリングリンク108（図１、図２参照）によって操作される。
【００２２】
他の利益として、例えば、限定しないが、予め定められた予備荷重をスプリング104へ作用させることが望まれるように、スプリングハウジング10の新規構造はまた、スプリング104の調整を可能とする。
【００２３】
換言すると、第１突出部122は、トリップラッチ102の半径方向の停止手段として機能する（例えば、図６参照）。この停止手段は、トリップラッチリセットスプリング104のラジアルトルクのすべてを取り除くように機能し、スプリングハウジング106、スプリング104、およびトリップラッチ102のアセンブリ内に含まれる。
【００２４】
図３ないし図６を参照するとともに、再び図１、図２を参照して、スプリングハウジング106を操作するためのトリップラッチスプリングリンク108の操作をより詳細に説明する。特に、ここに示されるとともに説明される例示において、スプリングハウジング106の第２部分116は、スプリングハウジング106のボディ部118から外側へ延びるパドル140を含む。トリップラッチスプリングリンク108の第２端112（図１、図２参照）は、電極シャフト10の運動をスプリングハウジング106の運動に変換するため、パドル140と協働するように構成される。さらに詳細には、トリップラッチスプリングリンク108の第２端112は、望ましくは、凹部150およびエッジ152を含み、図１、図２に示されるように、パドル140は凹部150内へ延びる。パドル140は、回路遮断器2の電極シャフト10がピボット回転（例えば、限定しないが、図１における矢印200で示される反時計回り方向へ回転）し、その結果、トリップラッチスプリングリンク108が（例えば、限定しないが、図１における矢印300で示される左方向へ）移動すると、トリップラッチスプリングリンク108の第２端112のエッジ152がパドル140に係合して引き込むことができるようにエッジ152と協働し、それによってスプリングハウジング106が（例えば、限定しないが、図１における反時計回り方向へ）ピボット回転する。
【００２５】
このように、トリップラッチ102をラッチ位置へ付勢するためにトリップラッチリセットスプリング104にトルクを作用させ、回路遮断器2をリセットすることが望ましいとき、および望ましいときだけ、トリップラッチスプリングリンク108が電極シャフト10の運動をスプリングハウジング106の運動へ変換することが理解されるであろう。他のすべての場合、スプリング104のトーションまたは付勢力がトリップラッチ102から十分に取り除かれることが理解されるであろう。
【００２６】
トリップラッチスプリングリンク108と、特に、スプリングハウジング106およびトリップラッチリセットスプリング104と、の前述した係合および解放方式をもたらすため、例示したトリップラッチスプリングリンク108の第１端110は、望ましくは細長いスロット160を含む。電極シャフト10は、細長いスロット160内を移動可能なピンメンバ14を含む。このように、図１に示されるように、トリップラッチスプリングリンク108を（例えば、限定しないが、図１における矢印300で示される左方向へ）動作させるためにピンメンバ114が完全に係合されているとき、電極シャフト10の回転運動は、トリップラッチスプリングリンク108の並進運動をもたらすためだけに作用する。例えば、限定しないが、図１は、回路遮断器2のトリップ動作およびトリップ解除に関連する位置における回路遮断器2およびそのためのトリップラッチアセンブリ100を示す。このように、電極シャフト10は、トリップラッチ102をラッチ位置に向けて付勢するためのテンションをトリップラッチスプリング104に保持するため、延いては回路遮断器2をリセットするため、トリップラッチスプリングリンク108を実際に移動させる。他の例において、例えば、限定しないが、回路遮断器2が閉じられているときの回路遮断器2およびそのためのトリップラッチアセンブリ100を示す図２のように、前述のピンメンバ14が細長いスロット160内を自由にスライドすることから、トリップラッチスプリングリンク108は、電極シャフト10から解放される。そのようなものとして、トリップラッチスプリングリンク108の第１端112のエッジ152は、スプリングハウジング106のパドル140を解放し、また、テンションは、スプリングハウジング106から、延いては、トリップラッチリセットスプリング104から解放される。
【００２７】
このように、開示された概念は、特有のトリップラッチアセンブリ100を提供し、そのトリップラッチアセンブリ100は、回路遮断器2をリセットのに十分なスプリング力を効率的且つ効果的にもたらすように構成されるが、回路遮断器2が閉じられているときにはスプリングテンションが取り除かれる。
【００２８】
開示された概念の特定の実施形態を詳細に説明してきたが、種々の変更ならびにそれらの細部の代替物を開示の全体的な教示を考慮して進歩させることができることが、当業者によって理解されるであろう。このように、開示された特定の形態は、実施例を示しただけであり、添付された特許請求の範囲およびそれと同等のすべてのものの全範囲が与えられる開示された概念の範疇を限定するものではない。
【図１】
0006045601.tif 000002
【図２】
0006045601.tif 000003
【図３】
0006045601.tif 000004
【図４】
0006045601.tif 000005
【図５】
0006045601.tif 000006
【図６】
0006045601.tif 000007